(57)【要約】      （修正有）【課題】組立前はコンパクトで持ち運びに適し、組み立てが簡単でありながら、パズルを完成させたときの美観に優れ、パズルとして適度の難易度を有することを可能とする絵合わせパズル組立用キットを提供する。【解決手段】６つのブロック組立用シートについて、側面となる４面１３〜１６に１つの全体絵を６つに分割した分割絵を各ブロック組立用シートに１つずつ割り当て組み合わせることで４種類の全体絵となる分割絵であって互いに別の位置となる分割絵を、連接する側面同士で９０度、組み立てた時に対面となる側面同士で１８０度の向きに印刷し、蓋面となる２面１１〜１２には１つの全体絵を６つに分割した分割絵を各ブロック組立用シートに１つずつ割り当て組み合わせることで２種類の全体絵となる分割絵であって互いに別の位置となる分割絵を、組み立てた時に対面となる蓋面同士で１８０度の向きに印刷したものとする。【選択図】図３
0003210117.tif 000002
【実用新案登録請求の範囲】
【請求項１】
それぞれ組み立てて立方体状のブロックをなす６枚のブロック組立用シートと、前記ブロック６個を収納する収容箱をなす折畳式収容箱と、を有する絵合わせパズル組立用キットであって、前記ブロック組立用シートが、
（Ａ）組み立てたときに方形筒体をなす側面４面を、折り目を介して一方向に連接して帯状体に形成された側面部と、
組み立てたときに前記方形筒体の上下開口部を被覆して前記側面部とで前記立方体状をなす蓋面２面を前記帯状体の長手方向左右縁に折り目を介して一面ずつ形成され、前記帯状体に連接された縁と対面する縁を折り目として蓋フラップをそれぞれ連接する蓋面部と、を有し、
（Ｂ）前記側面４面には１つの全体絵を６つに分割した分割絵を各ブロック組立用シートに１つずつ割り当て組み合わせることで４種類の全体絵となる分割絵であって互いに別の位置となる分割絵を、連接する側面同士で直角、組み立てた時に対面となる側面同士で平行な向きに印刷してあり、
前記蓋面２面には１つの全体絵を６つに分割した分割絵を各ブロック組立用シートに１つずつ割り当て組み合わせることで２種類の全体絵となる分割絵であって互いに別の位置となる分割絵を、組み立てた時に対面となる蓋面同士で１８０度の向きに印刷してあることを特徴とする絵合わせパズル組立用キット。
【請求項２】
前記ブロック組立用シートが、
前記帯状体の長手方向を縦とした際に、前記側面部の横方向の長さが前記蓋面２面の縦方向及び横方向の長さより前記ブロック組立用シートの厚みの２倍分短くしてあることを特徴とする請求項１記載の絵合わせパズル組立用キット。
【請求項３】
前記ブロック組立用シートが、
前記帯状体において、連接方向の一端を折り目として差込片を連接し、前記差込片を挿入可能な差込口を、連接方向の他端に設け、前記他端を折り目として折返片を連接してあり、
前記側面部のうち前記蓋面部が連接されていない側面の両脇のうち、組み立てた時に、前記蓋フラップと対面しない４箇所に側面部の側縁を折り目として側面フラップを設けてあり、
前記蓋フラップと対面する側面部以外の印刷部分の端部が、前記蓋フラップ又は前記側面フラップ又は前記折返片又は前記差込片にあることを特徴とする請求項１又は請求項２記載の絵合わせパズル組立用キット。
【請求項４】
前記折畳式収容箱が、
矩形状の底板部と、底板部の短辺に連接し相互に対向して配置される一対の矩形状の短辺側側板部と、底板部の長辺に連接し相互に対向して配置される一対の矩形状の長辺側側板部とを備え、折畳時には平面状で、組立時に上方が開口する収容箱となる折畳式収容箱であって、
前記長辺側側板部及び前記短辺側側板部の上縁を折り目として前記長辺側側板部及び前記短辺側側板部にそれぞれ連接された折返部を有し、前記底板部の各頂点から長辺側側板部に連接された折返部の上辺に向けて斜め方向に延びる折線部を有することを特徴とする請求項１記載の絵合わせパズル組立用キット。
【考案の詳細な説明】
【技術分野】
【０００１】
本考案は、組み立てて複数個のブロックを作り平面的に並べ絵合わせして遊ぶパズルになる絵合わせパズル組立用キットに関する。
【背景技術】
【０００２】
従来、絵合わせパズル用のキットとして、基板６枚をそれぞれ組み立ててブロックにし、各ブロックに分割絵３種が印刷されたラベルを２種類貼って絵合わせパズルとするものが知られている（例えば、特許文献１参照）。
【先行技術文献】
【特許文献】
【０００３】
【特許文献１】実登３２０５９６８号公報
【考案の概要】
【考案が解決しようとする課題】
【０００４】
しかし、かかるキットでは、使用者がブロックも収納箱も手作りして簡単に組み立てることができる一方で、ブロックにラベルを隙間なく綺麗に貼ることが難しいという問題があった。ブロックとして組み立てるときに僅かな歪みや弛みによって辺や角の部分に隙間等ができると、ラベルを貼った際に下地が出るおそれがあるという問題があった。
【０００５】
また、かかるキットでは、厚紙のシートを組み立てて蓋フラップを側面内側に差し込んで六面体を作ると、蓋面部分がフラップの重なりにより側面部分より高さがあり、蓋面部分と側面部分が分割した一つの絵となるようにラベルを貼ってしまうと、平面に並べたときにでこぼこして美しくないという問題があった。
【０００６】
また、かかるキットでは、１つ絵合わせをした後、別の面の絵で次の絵合わせをする際に、左右方向あるいは前後方向のいずれか一方に回すだけで、ブロックを回転させなくても、次の絵合わせができる可能性が十分にあり、使用者によっては易しすぎるパズルとなってしまうという問題があった。
【０００７】
また、かかるキットでは、収納箱をシートから組み立てる際に手順が多く幼い子供には難しいという問題があった。
【０００８】
そこで、本考案は、組立前はコンパクトで持ち運びに適し、組み立てが簡単でありながら、パズルを完成させたときの美観に優れ、パズルとして適度の難易度を有することを可能とする絵合わせパズル組立用キットを提供することを目的とする。
【課題を解決するための手段】
【０００９】
本考案の第１の態様は、それぞれ組み立てて立方体状のブロックをなす６枚のブロック組立用シートと、前記ブロック６個を収納する収容箱をなす折畳式収容箱と、を有する絵合わせパズル組立用キットであって、前記ブロック組立用シートが、
（Ａ）組み立てたときに方形筒体をなす側面４面を、折り目を介して一方向に連接して帯状体に形成された側面部と、
組み立てたときに前記方形筒体の上下開口部を被覆して前記側面部とで前記立方体状をなす蓋面２面を前記帯状体の長手方向左右縁に折り目を介して一面ずつ形成され、前記帯状体に連接された縁と対面する縁を折り目として蓋フラップをそれぞれ連接する蓋面部と、を有し、
（Ｂ）前記側面４面には１つの全体絵を６つに分割した分割絵を各ブロック組立用シートに１つずつ割り当て組み合わせることで４種類の全体絵となる分割絵であって互いに別の位置となる分割絵を、連接する側面同士で直角、組み立てた時に対面となる側面同士で平行な向きに印刷してあり、
前記蓋面２面には１つの全体絵を６つに分割した分割絵を各ブロック組立用シートに１つずつ割り当て組み合わせることで２種類の全体絵となる分割絵であって互いに別の位置となる分割絵を、組み立てた時に対面となる蓋面同士で１８０度の向きに印刷してあることを特徴とする絵合わせパズル組立用キットを提供する。
【００１０】
前記ブロック組立用シートが、
前記帯状体の長手方向を縦とした際に、前記側面部の横方向の長さが前記蓋面２面の縦方向及び横方向の長さより前記ブロック組立用シートの厚みの２倍分短くしてあることが好ましい。
【００１１】
また、前記ブロック組立用シートが、
前記帯状体において、連接方向の一端を折り目として差込片を連接し、前記差込片を挿入可能な差込口を、連接方向の他端に設け、前記他端を折り目として折返片を連接してあり、
前記側面部のうち前記蓋面部が連接されていない側面の両脇のうち、組み立てた時に、前記蓋フラップと対面しない４箇所に側面部の側縁を折り目として側面フラップを設けてあり、
前記蓋フラップと対面する側面部以外の印刷部分の端部が、前記蓋フラップ又は前記側面フラップ又は前記折返片又は前記差込片にあることが好ましい。
【００１２】
また、前記折畳式収容箱が、
矩形状の底板部と、底板部の短辺に連接し相互に対向して配置される一対の矩形状の短辺側側板部と、底板部の長辺に連接し相互に対向して配置される一対の矩形状の長辺側側板部とを備え、折畳時には平面状で、組立時に上方が開口する収容箱となる折畳式収容箱であって、
前記長辺側側板部及び前記短辺側側板部の上縁を折り目として前記長辺側側板部及び前記短辺側側板部にそれぞれ連接された折返部を有し、前記底板部の各頂点から長辺側側板部に連接された折返部の上辺に向けて斜め方向に延びる折線部を有することが好ましい。
【考案の効果】
【００１３】
本考案の絵合わせパズル組立用キットは上述したように構成されており、本考案の絵合わせパズル組立用キットによれば、組立前はコンパクトで持ち運びに適し、組み立てが簡単でありながら、パズルを完成させたときの美観に優れ、パズルとして適度の難易度を有することを可能とする。
【図面の簡単な説明】
【００１４】
【図１】本考案の実施例１の絵合わせパズル組立用キットの６枚のブロック組立用シート及び折畳時における折畳式収容箱の平面図である。
【図２】本考案の実施例１の絵合わせパズル組立用キットを組み立てて絵合わせする６枚の全体絵の分割を示す説明図である。
【図３】本考案の実施例１の絵合わせパズル組立用キットの組み立て後の状態を示す斜視図である。
【図４】本考案の実施例１の絵合わせパズル組立用キットの第１のブロック組立用シートの平面図である。
【図５】本考案の実施例１の絵合わせパズル組立用キットの第２のブロック組立用シートの印刷部分を示す平面図である。
【図６】本考案の実施例１の絵合わせパズル組立用キットの折畳時における折畳式収容箱の底面図である。
【図７】本考案の実施例１の絵合わせパズル組立用キットの折畳式収容箱の（ａ）展開図及び（ｂ）展開状態から折線部で折った状態を示す説明図である。
【図８】本考案の実施例１の絵合わせパズル組立用キットの収容箱の（ａ）組立途中の状態を示す説明図及び（ｂ）組立後の状態を示す説明図である。
【考案を実施するための形態】
【００１５】
以下、本考案の絵合わせパズル組立用キットの一実施形態について、図面を参照し実施例を用いて具体的に説明するが、本考案はこれらに限定されるものではない。
【実施例１】
【００１６】
図１は、本考案の実施例１の絵合わせパズル組立用キットの６枚のブロック組立用シート及び折畳時における折畳式収容箱の平面図である。本実施例１の絵合わせパズル組立用キット８は、第１のブロック組立用シート１、第２のブロック組立用シート２、第３のブロック組立用シート３、第４のブロック組立用シート４、第５のブロック組立用シート５、第６のブロック組立用シート６、及び折畳式収容箱７からなる。ブロック組立用シートは、それぞれ、組み立てて立方体状のブロックをなす。折畳式収容箱は、ブロック組立用シートを組み立てて立方体状としたブロック６個を収納する収納箱をなす。なお、本願の図１〜７においては、点線は谷折線、２点鎖線は山折線であることを示す。
【００１７】
図２は、本考案の実施例１の絵合わせパズル組立用キットを組み立てて絵合わせする６枚の全体絵の分割を示す説明図である。図１中の各ブロック組立用シートに示したアルファベット１文字と数字１文字からなる記号及びその向きは、それぞれ、６枚の全体絵Ａ、Ｂ、Ｃ、Ｄ、Ｅ、Ｆをそれぞれ６つに分割したうちどの部分の分割絵であるか、かかる分割絵がどの向きで印刷されているかを表す。
【００１８】
各ブロック組立用シートは、６枚とも形状及び分割絵の印刷部分は同じである。
【００１９】
各ブロック組立用シートは、（１）組み立てたときに方形筒体をなす側面４面を、折り目を介して一方向に連接して帯状体に形成された側面部と、（２）組み立てたときに方形筒体の上下開口部を被覆して側面部とで立方体状をなす蓋面２面を帯状体の長手方向左右縁に折り目を介して一面ずつ形成され、帯状体に連接された縁と対面する縁を折り目として蓋フラップをそれぞれ連接する蓋面部とを有する。第１のブロック組立用シート１を例にとって説明すると、図１に示すように、側面部は、後側面部１３と左側面部１４と前側面部１５と右側面部１６を有し、蓋面部は、上蓋面部１１と下蓋面部１２を有する。第２のブロック組立用シート２〜第６のブロック組立用シート６も同様の構成を有する。
【００２０】
各ブロック組立用シートは、（１）側面４面には１つの全体絵を６つに分割した分割絵を各ブロック組立用シートに１つずつ割り当て組み合わせることで４種類の全体絵となる分割絵であって互いに別の位置となる分割絵を、連接する側面同士で９０度、組み立てた時に対面となる側面同士で１８０度の向きに印刷してあり、（２）蓋面２面には１つの全体絵を６つに分割した分割絵を各ブロック組立用シートに１つずつ割り当て組み合わせることで２種類の全体絵となる分割絵であって互いに別の位置となる分割絵を組み立てた時に対面となる蓋面同士で１８０度の向きに印刷してある。なお、本実施例では、蓋面に印刷された分割絵に対し蓋面に連接する側面に印刷された分割絵の向きが９０度であるブロック組立用シートと１８０度であるブロック組立用シートが同数としてある。第１のブロック組立用シート１を例にとって説明すると、図１に示すように、後側面部１３には全体絵Ｄの中の分割絵Ｄ４が、左側面部１４に連接された辺を上方として印刷されている。さらに、左側面部１４には後側面部１３に印刷された分割絵と反時計回りに９０度をなす向きで全体図Ｃの中の分割絵Ｃ３が印刷され、前側面部１５には左側面部１４に印刷された分割絵と反時計回りに９０度をなす向きで全体絵Ｂの中の分割絵Ｂ２が印刷され、右側面部１６には前側面部１５に印刷された分割絵と反時計回りに９０度をなす向きで全体絵Ａの中の分割絵Ａ１が印刷され、上蓋面部１１には右側面部１６に印刷された分割絵と１８０度をなす向きで全体絵Ｆの中の分割絵Ｆ２が印刷され、下蓋面部１２には上蓋面部に印刷された分割絵と１８０度をなす向きで全体絵Ｅの中の分割絵Ｅ４が印刷されている。第２のブロック組立用シート２〜第６のブロック組立用シート６も同様の構成を有する。なお、本実施例において、上蓋面部及び下蓋面部に対し右側面部の分割絵の向きが直角となるブロック組立用シートが３枚、平行となるブロック組立用シートが３枚である。
【００２１】
図３は、本考案の実施例１の絵合わせパズル組立用キットの組み立て後の状態を示す斜視図である。ブロック組立用シート６枚をそれぞれ組み立てて立方体状のブロックＰとし、組み立てた折畳式収容箱７に３個ずつ２列横に並べて収納できる。絵合わせをする際は、ブロックＰ６個を折畳式収容箱７から取り出して、それぞれ回転させ、適切な場所に嵌めこむことができる。
【００２２】
本実施例によれば、組み立ててブロックとなるブロック組立用シートがそれぞれ上述のように分割絵を配置しているため、１つ絵合わせをした後、別の面の絵で次の絵合わせをする際に、左右方向あるいは前後方向のいずれか一方に回すだけでなく、９０％以上の割合で、ブロックを別の方向にも回転させたり向きを変えたりしないと次の絵合わせができない。さらに、毎回並べる位置も変える必要がある。したがって、パズルとして適度の難易度を有することを可能とする。
【００２３】
蓋面部はブロック組立シートの重なりにより、側面部より浮き上がりやすく、蓋面部と側面部に同じ全体絵の分割絵が分散されていると、絵合わせを完成させたときに凸凹して美しくないが、本実施例によれば、組み立ててブロックとなるブロック組立用シートがそれぞれ上述のように分割絵を配置しているため、蓋面部同士、側面部同士で絵合わせを完成させるため、絵合わせを完成させたときの美観に優れる。
【００２４】
図４は、本考案の実施例１の絵合わせパズル組立用キットの第１のブロック組立用シートの平面図である。第１のブロック組立用シートから第６のブロック組立用シートまで、６枚とも同じ形状を有する。本実施例において、側面４面を含んで構成される帯状体の長手方向を縦とした際に、側面部の横方向の長さが蓋面２面の縦方向及び横方向の長さよりブロック組立用シートの厚みの２倍分短い。これにより蓋面のフラップ１２１、１１１を左側面部１４の脇に差し込むことによる高さのずれを防ぐことができる。また、差込片１８が連接された面である後側面部１３は、縦方向の長さが、上述した側面部の横方向の長さと同じにしてある。これにより、差込片１３を差込口１７に差込することによる幅のずれを防ぐことができる。したがって、組み立てた時に、ブロック組立用シートの厚み分だけ蓋面部が浮き上がることを防止し、どの面を並べても凸凹しにくく、図３に示したように、より美しい立方体状を保つことができる。したがって、個々のブロックとしての美観に優れ、絵合わせをしている途中も完成したときも美観に優れる。
【００２５】
図４では、第１のブロック組立用シート１を用いて説明する。各面に印刷された分割絵は図示を省略した。本実施例においては、ブロック組立用シートの厚みを０．０５ｃｍ、組立後のブロックの一辺を５．１ｃｍとする。各折り目は０．２ｃｍの幅を有する。後側面部１３の折り目１３３ａの芯と折り目１３３ｂの芯の間の長さ及び前側面部１５の折り目１５３ａの芯と折り目１５３ｂの芯の間の長さは４．９ｃｍで、左側面部１４において連接されていない方向（横方向）の長さも同じである。帯状体の長手方向（縦方向）においては、後側面部１３については折り目１８３の芯と折り目１４３ａの芯部の間の長さは４．９ｃｍ、他の側面部は折り目の芯と折り目の芯の間の長さは、５．０ｃｍである。上蓋部１１及び下蓋部１２も縦方向の長さは５．０ｃｍである。右側面部１６の折り目１６３ａの芯と折り目１６３ｂの芯の間の長さは４．９ｃｍである。上蓋部１１及び下蓋部１２の横方向の長さは、折り目１１３の芯と折り目１６３ａの芯の間、折り目１６３ｂの芯と折り目１２３の間、いずれも５．０ｃｍである。側面部の横方向の長さが蓋面２面の縦方向及び横方向の長さよりブロック組立用シートの厚みの２倍分短くしてあるので、かかるブロック組立用シートを組み立てると蓋面部が浮き上がることなく５．１ｃｍ角の立方体のブロックとすることができる。
【００２６】
図４に示したように、第１のブロック組立用シート１は、組み立てたときに方形筒体をなす側面４面を、折り目１４３ａ、ｂ、１５３ｃを介して一方向に連接して帯状体に形成された側面部（後側面部１３と左側面部１４と前側面部１５と右側面部１６）と、組み立てたときにかかる方形筒体の上下開口部を被覆して側面部とで立方体状をなす蓋面２面を帯状体の長手方向左右縁に折り目１６３ａ、ｂを介して一面ずつ形成され、帯状体に連接された縁と対面する縁を折り目１１３、１２３として蓋フラップ１１１、１２１をそれぞれ連接する蓋面部（上蓋部１１と下蓋部１２）とを有する。
【００２７】
帯状体において、連接方向の一端（図４に示した本実施例では後側面部１３の端）を折り目１８３として差込片１８を連接し、差込片１８を挿入可能な差込口１７を、連接方向の他端（図４に示した本実施例では右側面部１６の端）に設け、かかる他端を折り目１９３として、折返片１９を連接してある。また、側面部のうち蓋面部が連接されていない側面の両脇のうち、組み立てた時に、蓋フラップ１１１、１２１と対面しない４箇所に側面部の側縁を折り目１３３ａ、ｂ、１５３ａ、ｂとして、側面フラップ１３１ａ、ｂ、１５１ａ、ｂを設けてある。
【００２８】
図５は、本考案の実施例１の絵合わせパズル組立用キットの第２のブロック組立用シートの印刷部分を示す平面図である。第１のブロック組立用シートから第６のブロック組立用シートまで、６枚とも印刷部分の範囲は同じである。図５では、第２のブロック組立用シートを用いて説明する。蓋フラップと対面する側面部である左側面部２４以外の側面部、すなわち後側面部２３、前側面部２５、右側面部２６の印刷部分の端部と、上蓋面部２１及び下蓋面部２２の印刷部分の端部が、蓋フラップ又は側面フラップ又は折返片又は差込片にある。詳細には、上蓋面部２１の印刷部分２１２の端部は蓋フラップ２１１にあり、下蓋面部２２の印刷部分２２２の端部は蓋フラップ２２１にあり、後側面部１３の印刷部分２３２の端部は側面フラップ２３１ａ、ｂ及び差込片２８にあり、前側面部２５の印刷部分２５２の端部は側面フラップ２５１ａ、ｂにあり、右側面部２６の印刷部分２６２の端部は折返片２９にある。蓋フラップと対面する側面部である左側面部２４はフラップを有せず、印刷部分は左側面部２４の端部までである。
【００２９】
図６は、本考案の実施例１の絵合わせパズル組立用キットの折畳時における折畳式収容箱の底面図である。折畳式収容箱７は、箱の状態に組立する前、すなわち流通時においては、折り畳まれた状態であり、平面状でコンパクトになっている。本実施例において、折畳式収容箱７は、矩形状の底板部７１と、底板部７１の短辺に連接し相互に対向して配置される一対の矩形状の短辺側側板部７３ａ、ｂと、底板部７１の長辺に連接し相互に対向して配置される一対の矩形状の長辺側側板部７２ａ、ｂとを備え、折畳時には平面状で、組立時に上方が開口する収容箱となる折畳式収容箱である。長辺側側板部７２ａ、ｂ及び短辺側側板部７３ａ、ｂの上縁を折り目として長辺側側板部及び短辺側側板部にそれぞれ連接された折返部７３１ａ、ｂ、７２１ａ、ｂを有し、底板部の各頂点から長辺側側板部に連接された折返部の上辺に向けて斜め方向に延びる折線部７４ａ、ｂ、ｃ、ｄを有する。
【００３０】
図７は、本考案の実施例１の絵合わせパズル組立用キットの折畳式収容箱の（ａ）展開図及び（ｂ）展開状態から折線部で折った状態を示す説明図である。
【００３１】
折畳式収容箱７において、底面部７１は略立方体状の絵合わせパズル用ブロックＰが２行３列に配列可能な長方形状であり、短辺側側板部７３ａ、ｂは底板部７１の短辺に連接し相互に対向して配置される一対の長方形状であり、長辺側側板部７２ａ、ｂは底板部７１の長辺に連接し相互に対向して配置される一対の長方形状である。組立後は、ブロックＰを自在に出し入れできる収容箱となる。
【００３２】
折畳式収容箱７は、短辺側側板部７３ａ、ｂの上縁を第１の折り目として短辺側側板部のそれぞれの上縁に連接され、角部が円弧状に面取りされた短辺側折返部７３１ａ、ｂを有する。また、折畳式収容箱７は、長辺側側板部７２ａ、ｂの上縁を第２の折り目として長辺側側板部のそれぞれの上縁に連接され、角部が円弧状に面取りされた長辺側折返部７２１ａ、ｂを有する。さらに、長辺側側板部７２ａ、ｂの側縁を折り目として長辺側側板部の両側縁のそれぞれに連接され、隣接する短辺側側板部の内面に接着される糊代片７５ａ、ｂ、ｃ、ｄを有する。また、底板部７１の各頂点から長辺側折返部７２１ａ、ｂの上辺に向けて、長辺側側板部７２ａ、ｂの角部を二等分する角度（約４５°）で伸びる折線部７４ａ、ｂ、ｃ、ｄを有する。さらに、組み立てた時に糊代片７５ａ、ｂ、ｃ、ｄが底板部７１の外縁上方に配置されるよう、図７（ｂ）に示すように、折線部７４ａ、ｂ、ｃ、ｄに沿って長辺側側板部７２ａ、ｂを谷側に約１８０°折り曲げ、さらに短辺側側板部７３ａ、ｂを谷側に約１８０°折り曲げ、糊代片外側と短辺側側板部内側とを接着する。折畳式収容箱７は、図１に示したような平板状態で出荷・流通できる。紙の重なりも少なく、丈夫で厚手の紙を使っても嵩張らない。
【００３３】
図８は、本考案の実施例１の絵合わせパズル組立用キットの収容箱の（ａ）組立途中の状態を示す説明図及び（ｂ）組立後の状態を示す説明図である。絵合わせパズル組立用キットを購入した使用者が、平板状にある折畳式収容箱７を立体的に組み立てる際には、短辺側側板部７３ａ、ｂを把持し、底板部７１の短辺に沿って外側へ押し広げて直角に立ち上げることにより、これに連動して長辺側側板部７２ａ、ｂも糊代片を介して同時に立ち上がる。かかる一動作で箱の形になることから、収容箱の組み立てが容易である。なお、長辺側側板部７２ａ、ｂを把持し、底板部７１の長辺に沿って外側から内側へ押して直角に立ち上げることによっても同様の効果が生まれる。いずれも一動作で行うことが出来る。短辺側および長辺側の側板部をそれぞれ立ち上げた後は、短辺側折返部７３１ａ、ｂを第１の折り目に沿って、長辺側折返部７２１ａ、ｂを第２の折り目に沿って、それぞれ収容箱内方に向けて折り込むことにより、第１の折り目と第２の折り目の復元力により短辺側折返部と長辺側折返部とが相互に所定の位置で嵌合しあって、その位置が保持され、箱体の形状が保持される。本図では折線も実線で示す。
【００３４】
本実施例によれば、組立前はコンパクトで持ち運びに適し、組み立てが簡単でありながら、パズルを完成させたときの美観に優れ、パズルとして適度の難易度を有することを可能とする。
【００３５】
なお、本考案は、上記実施の形態に限定されず、その考案の趣旨を逸脱しない範囲で種々と変形実施が可能である。例えば、ブロック組立シートの蓋面部は、本実施例では帯状体の端部の左右縁に設けてあるが、帯状体の端部以外の左右縁に設けてもよい。
【符号の説明】
【００３６】
１                  第１のブロック組立用シート
１１                上蓋面部
１１１              蓋フラップ
１１２              印刷部分
１１３              折り目
１２                下蓋面部
１２１              蓋フラップ
１２２              印刷部分
１２３              折り目
１３                後側面部
１３１ａ、ｂ        側面フラップ
１３２              印刷部分
１３３ａ、ｂ        折り目
１４                左側面部
１４２              印刷部分
１４３ａ、ｂ        折り目
１５                前側面部
１５１ａ、ｂ        側面フラップ
１５２              印刷部分
１５３ａ、ｂ、ｃ    折り目
１６                右側面部
１６２              印刷部分
１６３ａ、ｂ        折り目
１７                差込口
１８                差込片
１８３              折り目
１９                折返片
１９３              折り目
２                  第２のブロック組立用シート
３                  第３のブロック組立用シート
４                  第４のブロック組立用シート
５                  第５のブロック組立用シート
６                  第６のブロック組立用シート
７                  折畳式収容箱
７１                底板部
７２ａ、ｂ          長辺側側板部
７２１ａ、ｂ        長辺側折返部
７３ａ、ｂ          短辺側側板部
７３１ａ、ｂ        短辺側折返部
７４ａ、ｂ、ｃ、ｄ  折線部
７５ａ、ｂ、ｃ、ｄ  糊代片
８                  絵合わせパズル組立用キット
Ｐ                  ブロック
【図１】
0003210117.tif 000003
【図２】
0003210117.tif 000004
【図３】
0003210117.tif 000005
【図４】
0003210117.tif 000006
【図５】
0003210117.tif 000007
【図６】
0003210117.tif 000008
【図７】
0003210117.tif 000009
【図８】
0003210117.tif 000010